(57)【要約】  【課題】Ｘ線管から２次元Ｘ線検出器に直接線が入射することでＸ線画像中にアーティファクトが生じることを速やかに抑える。  【解決手段】この発明の装置は、被検体Ｍの透過Ｘ線像検出用のＦＰＤ２の信号補正用データ検出領域の前方に配設されている不活性ガス封入チャンバー式Ｘ線量測定器により計測されたＸ線量が、予め定められた所定量以上となるとコリメータ調整部９がコリメータ６を調整してＸ線の照射範囲を狭めて信号補正用データ検出領域に入射する直接線が迅速にカットされるので、Ｘ線撮影の実行中に信号補正用データ検出領域に直接線が入射する場合でも、信号補正用データ検出領域で検出される信号補正用データは直ちに直線線の影響を受けていない適正なデータとなり、Ｘ線画像用データには適正な信号補正用データを用いて補正がかけられる。よって、アーティファクトの発生を速やかに抑止できる。【選択図】    図１
2006000192.tif 000002
【特許請求の範囲】
【請求項１】
被検体にＸ線を照射するＸ線管と、被検体の透過Ｘ線像を検出する２次元Ｘ線検出器とを備え、Ｘ線管による被検体へのＸ線照射に伴って２次元Ｘ線検出器から出力されるＸ線画像用データに基づいて被検体の透過Ｘ線像に対応するＸ線画像を取得するＸ線撮影装置において、Ｘ線管がＸ線の照射範囲を定めるコリメータを有していて、２次元Ｘ線検出器がＸ線画像用データを検出するＸ線画像用データ検出領域の周辺にＸ線画像用データの補正に用いられる信号補正用データを検出する信号補正用データ検出領域を有しているのに加え、２次元Ｘ線検出器の信号補正用データ検出領域の前方に配設されていると共に信号補正用データ検出領域に入射するＸ線の線量を計測するＸ線量測定手段と、Ｘ線量測定手段により計測されたＸ線量が予め定められた所定量以上であれば、コリメータを調整してＸ線の照射範囲を狭めて信号補正用データ検出領域に直接線が入射するのを阻止するコリメータ調整手段とを備えていることを特徴とするＸ線撮影装置。
【請求項２】
被検体にＸ線を照射するＸ線管と、被検体の透過Ｘ線像を検出する２次元Ｘ線検出器とを備え、Ｘ線管による被検体へのＸ線照射に伴って２次元Ｘ線検出器から出力されるＸ線画像用データに基づいて被検体の透過Ｘ線像に対応するＸ線画像を取得するＸ線撮影装置において、２次元Ｘ線検出器がＸ線画像用データを検出するＸ線画像用データ検出領域の周辺にＸ線画像用データの補正に用いられる信号補正用データを検出する信号補正用データ検出領域を有しているのに加え、Ｘ線画像用データに対して標準的補正をかける時に適用する標準補正用パラメータを予め登録しておくパラメータ登録手段と、２次元Ｘ線検出器の信号補正用データ検出領域の前方に配設されていると共に信号補正用データ検出領域に入射するＸ線の線量を計測するＸ線量測定手段と、Ｘ線量測定手段により計測されたＸ線量が予め定められた所定量以上であれば、パラメータ登録手段に登録されている標準補正用パラメータにしたがってＸ線画像用データの標準的補正が実行されることを特徴とするＸ線撮影装置。
【請求項３】
請求項１または２に記載のＸ線撮影装置において、２次元Ｘ線検出器の信号補正用データ検出領域の前方に配設されているＸ線量測定手段が、不活性ガス封入チャンバー式Ｘ線量測定器であるＸ線撮影装置。
【請求項４】
請求項３に記載のＸ線撮影装置において、不活性ガス封入チャンバー式Ｘ線量測定器が、信号補正用データ検出領域に入射するＸ線の線量を計測する補正用データ検出領域用チャンバーに加えてＸ線画像用データ検出領域に入射するＸ線量を計測する画像用データ検出領域用チャンバーを別に有していて、画像用データ検出領域用チャンバーにより計測されたＸ線量に基づいてＸ線管の照射Ｘ線量の制御が行なわれるＸ線撮影装置。
【請求項５】
請求項１から４のいずれかに記載のＸ線撮影装置において、２次元Ｘ線検出器がフラットパネル型Ｘ線検出器であるＸ線撮影装置。
【発明の詳細な説明】
【技術分野】
【０００１】
この発明は、被検体にＸ線を照射するＸ線管と、被検体の透過Ｘ線像を検出する２次元Ｘ線検出器とを備え、Ｘ線管による被検体へのＸ線照射に伴って２次元Ｘ線検出器から出力されるＸ線画像用データに基づいて被検体の透過Ｘ線像に対応するＸ線画像を取得するＸ線撮影装置に係り、特にＸ線管から２次元Ｘ線検出器に直接線が入射することでＸ線画像中にアーティファクトが生じることを抑制するための技術に関する。
【背景技術】
【０００２】
近年、病院等の医療機関で診断・治療に用いられているＸ線撮影装置は、図９に示すように、被検体ＭにＸ線を照射するＸ線管６１と、被検体Ｍの透過Ｘ線像を検出する２次元Ｘ線検出器であるフラットパネル型Ｘ線検出器（以下、適宜「ＦＰＤ」と略記）６２とが被検体Ｍを挟んで対向配置されていて、Ｘ線管６１による被検体ＭへのＸ線照射に伴ってＦＰＤ６２から出力されるＸ線画像用データに基づいて被検体Ｍの透過Ｘ線像に対応するＸ線画像を取得する。
【０００３】
また、Ｘ線撮影装置のＦＰＤ６２の場合、通常、Ｘ線検出面にはＸ線画像用データを検出するＸ線画像用データ検出領域が設けられているのに加え、Ｘ線画像用データの補正に用いられる信号補正用データを検出する信号補正用データ検出領域がＸ線画像用データ検出領域の周辺に設けられている。
【０００４】
そして、Ｘ線画像用データ検出領域に入射するＸ線量を計測すると共に、計測されるＸ線量に基づいてＸ線管６１の照射Ｘ線量を制御して、常にＦＰＤ６２のＸ線画像用データ検出領域に適当なＸ線量でＸ線を入射させながら、Ｘ線画像用データ検出領域ではＸ線画像用データの検出が行なわれる（例えば特許文献１を参照。）。
【０００５】
一方、Ｘ線画像用データの検出と並行して、Ｘ線画像用データ検出領域の周辺の信号補正用データ検出領域では、Ｘ線画像用データの補正に用いられる信号補正用データの検出が行なわれると共に、検出された信号補正用データに基づいてＸ線画像用データの補正を実行する時に適用する補正用パラメータが求められる。更に求められた補正用パラメータを適用してＸ線画像用データに対する補正が実行される結果、良好な画質のＸ線画像が取得できる。なお、Ｘ線画像用データの補正としては、信号ベース分除去処理，ノイズ除去処理，ＡＤ変換の際の信号増幅処理などが挙げられる。補正用パラメータとしては、信号ベースの除去量，ノイズ除去フィルタの係数，ＡＤ変換の際の信号増幅率などが挙げられる。
【特許文献１】特開２００１−１９５５６３号公報（９頁、図９，図１１，図１３）
【発明の開示】
【発明が解決しようとする課題】
【０００６】
しかしながら、従来のＸ線撮影装置は、往々にしてＸ線画像中にアーティファクトが生じて画質を低下させるという問題がある。
【０００７】
通常、Ｘ線管６１からのＸ線はＦＰＤ６２のＸ線検出面における信号補正用データ検出領域には被検体Ｍを通過した間接線として入射するのであるが、撮影時の状況によっては、Ｘ線管６１から信号補正用データ検出領域に直接線が入射する状態になることがある。Ｘ線管６１から信号補正用データ検出領域に直接線が入射するようになると、時として検出対象のＸ線の線量が適当な範囲を越えてしまう。そうなると、Ｘ線画像用データの補正に用いられる信号補正用データが正しく検出されず、信号補正用データを用いてもＸ線画像用データに的確な補正がかけられないので、Ｘ線画像中にアーティファクトが生じるのである。
【０００８】
この発明は、このような事情に鑑みてなされたものであって、Ｘ線管から２次元Ｘ線検出器に直接線が入射することでＸ線画像中にアーティファクトが生じることを速やかに抑えることができるＸ線撮影装置を提供することを目的とする。
【課題を解決するための手段】
【０００９】
請求項１の発明は、このような目的を達成するために、次のような構成をとる。
【００１０】
すなわち、請求項１に記載の発明に係るＸ線撮影装置は、被検体にＸ線を照射するＸ線管と、被検体の透過Ｘ線像を検出する２次元Ｘ線検出器とを備え、Ｘ線管による被検体へのＸ線照射に伴って２次元Ｘ線検出器から出力されるＸ線画像用データに基づいて被検体の透過Ｘ線像に対応するＸ線画像を取得するＸ線撮影装置において、Ｘ線管がＸ線の照射範囲を定めるコリメータを有していて、２次元Ｘ線検出器がＸ線画像用データを検出するＸ線画像用データ検出領域の周辺にＸ線画像用データの補正に用いられる信号補正用データを検出する信号補正用データ検出領域を有しているのに加え、２次元Ｘ線検出器の信号補正用データ検出領域の前方に配設されていると共に信号補正用データ検出領域に入射するＸ線の線量を計測するＸ線量測定手段と、Ｘ線量測定手段により計測されたＸ線量が予め定められた所定量以上であれば、コリメータを調整してＸ線の照射範囲を狭めて信号補正用データ検出領域に直接線が入射するのを阻止するコリメータ調整手段とを備えていることを特徴とするものである。
【００１１】
［作用・効果］請求項１の発明のＸ線撮影装置によるＸ線撮影の実行中、Ｘ線管によってコリメータで定められた照射範囲で被検体へＸ線が照射されるのに伴って２次元Ｘ線検出器のＸ線画像用データ検出領域ではＸ線画像用データが検出されると共に信号補正用データ検出領域ではＸ線画像用データの補正に用いられる信号補正用データが検出される。さらに２次元Ｘ線検出器の後段において、信号補正用データを用いてＸ線画像用データに補正をかけてから補正済のＸ線画像用データにしたがって被検体の透過Ｘ線像に対応するＸ線画像が取得される。
【００１２】
また、請求項１の発明のＸ線撮影装置によるＸ線撮影の実行中、２次元Ｘ線検出器の信号補正用データ検出領域の前方に配設されているＸ線量測定手段により信号補正用データ検出領域に入射するＸ線の線量が計測されると共に、信号補正用データ検出領域に直接線が入射してＸ線量測定手段により計測されたＸ線量が予め定められた所定量以上であれば、コリメータ調整手段がコリメータを調整してＸ線の照射範囲を狭めて信号補正用データ検出領域に直接線が入射するのを迅速に阻止する。したがって、Ｘ線撮影の実行中に信号補正用データ検出領域に直接線が入射することがあった場合でも、信号補正用データ検出領域で検出される信号補正用データは直ちに直線線の影響を受けていない適正なデータとなり、Ｘ線画像用データには適正な信号補正用データを用いて補正がかけられる結果、Ｘ線管から２次元Ｘ線検出器の信号補正用データ検出領域に直接線が入射することでＸ線画像中にアーティファクトが生じることを速やかに抑止できる。
【００１３】
さらに、請求項２の発明は、上記の目的を達成するために、次のような構成をとる。
【００１４】
すなわち、請求項２に記載の発明に係るＸ線撮影装置は、被検体にＸ線を照射するＸ線管と、被検体の透過Ｘ線像を検出する２次元Ｘ線検出器とを備え、Ｘ線管による被検体へのＸ線照射に伴って２次元Ｘ線検出器から出力されるＸ線画像用データに基づいて被検体の透過Ｘ線像に対応するＸ線画像を取得するＸ線撮影装置において、２次元Ｘ線検出器がＸ線画像用データを検出するＸ線画像用データ検出領域の周辺にＸ線画像用データの補正に用いられる信号補正用データを検出する信号補正用データ検出領域を有しているのに加え、Ｘ線画像用データに対して標準的補正をかける時に適用する標準補正用パラメータを予め登録しておくパラメータ登録手段と、２次元Ｘ線検出器の信号補正用データ検出領域の前方に配設されていると共に信号補正用データ検出領域に入射するＸ線の線量を計測するＸ線量測定手段と、Ｘ線量測定手段により計測されたＸ線量が予め定められた所定量以上であれば、パラメータ登録手段に登録されている標準補正用パラメータにしたがってＸ線画像用データの標準的補正が実行されることを特徴とするものである。
【００１５】
［作用・効果］請求項２の発明のＸ線撮影装置によるＸ線撮影の実行中、Ｘ線管によってコリメータで定められた照射範囲で被検体へＸ線が照射されるのに伴って２次元Ｘ線検出器のＸ線画像用データ検出領域ではＸ線画像用データが検出されると共に信号補正用データ検出領域ではＸ線画像用データの補正に用いられる信号補正用データが検出される。さらに２次元Ｘ線検出器の後段において、信号補正用データを用いてＸ線画像用データに補正をかけてから補正済のＸ線画像用データにしたがって被検体の透過Ｘ線像に対応するＸ線画像が取得される。
【００１６】
また、請求項２の発明のＸ線撮影装置の場合、パラメータ登録手段にＸ線画像用データに対して標準的補正をかける時に適用する標準補正用パラメータが予め登録されている。そして、Ｘ線撮影の実行中、２次元Ｘ線検出器の信号補正用データ検出領域の前方に配設されているＸ線量測定手段により信号補正用データ検出領域に入射するＸ線の線量が計測される。
【００１７】
そして、信号補正用データ検出領域に直接線が入射せずＸ線量測定手段により計測されたＸ線量が予め定められた所定量未満であれば、信号補正用データからＸ線画像用データに対して補正をかける時に適用する補正用パラメータが求められてからＸ線画像用データの補正が行なわれる。
【００１８】
逆に、信号補正用データ検出領域に直接線が入射してＸ線量測定手段により計測されたＸ線量が予め定められた所定量以上であれば、パラメータ登録手段に登録されている標準補正用パラメータにしたがってＸ線画像用データの標準的補正が実行される。
【００１９】
したがって、Ｘ線撮影の実行中に信号補正用データ検出領域に直接線が入射することがあった場合は、信号補正用データ検出領域で検出された為に直接線の影響を受けてしまった不適正な信号補正用データは用いられず、パラメータ登録手段に登録されている適正度の高い標準補正用パラメータにしたがってＸ線画像用データに補正がかけられる結果、Ｘ線管から２次元Ｘ線検出器の信号補正用データ検出領域に直接線が入射することでＸ線画像中にアーティファクトが生じることを速やかに抑止できる。
【００２０】
また、請求項３に記載の発明は、請求項１または２に記載のＸ線撮影装置において、２次元Ｘ線検出器の信号補正用データ検出領域の前方に配設されているＸ線量測定手段が、不活性ガス封入チャンバー式Ｘ線量測定器であるものである。
【００２１】
［作用・効果］請求項３の発明のＸ線撮影装置の場合、不活性ガス封入チャンバー式Ｘ線量測定器は応答速度が早くて、信号補正用データ検出領域に直接線が入射してＸ線量測定手段により計測されたＸ線量が予め定められた所定量以上となったことが素早く感知されるので、Ｘ線画像中にアーティファクトが生じることを、より速やかに抑止することができる。
【００２２】
また、請求項４に記載の発明は、請求項３に記載のＸ線撮影装置において、不活性ガス封入チャンバー式Ｘ線量測定器が、信号補正用データ検出領域に入射するＸ線の線量を計測する補正用データ検出領域用チャンバーに加えてＸ線画像用データ検出領域に入射するＸ線量を計測する画像用データ検出領域用チャンバーを別に有していて、画像用データ検出領域用チャンバーにより計測されたＸ線量に基づいてＸ線管の照射Ｘ線量の制御が行なわれるものである。
【００２３】
［作用・効果］請求項４の発明のＸ線撮影装置の場合、不活性ガス封入チャンバー式Ｘ線量測定器が、補正用データ検出領域に入射するＸ線の線量を計測する補正用データ検出領域用チャンバーの他に、画像用データ検出領域に入射するＸ線の線量を計測する画像用データ検出領域用チャンバーを別に有していて、画像用データ検出領域用チャンバーにより計測されたＸ線量に基づいてＸ線管の照射Ｘ線量の制御が行なわれるので、画像用データ検出領域に入射するＸ線の線量の適正化が図られる。
【００２４】
また、請求項５に記載の発明は、請求項１から４のいずれかに記載のＸ線撮影装置において、２次元Ｘ線検出器がフラットパネル型Ｘ線検出器であるものである。
【００２５】
［作用・効果］請求項５の発明のＸ線撮影装置の場合、２次元Ｘ線検出器が軽量・薄型のフラットパネル型Ｘ線検出器であるので、Ｘ線透過像検出用の２次元Ｘ線検出器まわりの構成の簡素化が図れる。
【００２６】
また、フラットパネル型Ｘ線検出器は大面積化適正を有する２次元Ｘ線検出器であるが、大面積化に伴って信号補正用データ検出領域に直接線が入射し易くなるので、Ｘ線画像中にアーティファクトが生じる可能性が高くなるけれども、この発明のＸ線撮影装置の場合は、Ｘ線管から２次元Ｘ線検出器の信号補正用データ検出領域に直接線が入射することでＸ線画像中にアーティファクトが生じることを速やかに抑えられるので、Ｘ線画像中にアーティファクトが生じる懸念なくフラットパネル型Ｘ線検出器の大面積化が図れる。
【発明の効果】
【００２７】
請求項１の発明のＸ線撮影装置の場合、２次元Ｘ線検出器の信号補正用データ検出領域の前方に配設されているＸ線量測定手段により信号補正用データ検出領域に入射するＸ線の線量が計測されると共に、信号補正用データ検出領域に直接線が入射してＸ線量測定手段により計測されたＸ線量が予め定められた所定量以上であれば、コリメータ調整手段がコリメータを調整してＸ線の照射範囲を狭めて信号補正用データ検出領域に直接線が入射するのを迅速に阻止する構成となっていて、Ｘ線撮影の実行中に信号補正用データ検出領域に直接線が入射することがあった場合でも、信号補正用データ検出領域で検出される信号補正用データは直ちに直線線の影響を受けていない適正なデータとなり、Ｘ線画像用データには適正な信号補正用データを用いて補正がかけられる。
【００２８】
よって、請求項１の発明のＸ線撮影装置によれば、Ｘ線管から２次元Ｘ線検出器に直接線が入射することでＸ線画像中にアーティファクトが生じることを速やかに抑えることができる。
【００２９】
さらに、請求項２の発明のＸ線撮影装置の場合、２次元Ｘ線検出器の信号補正用データ検出領域の前方に配設されているＸ線量測定手段により信号補正用データ検出領域に入射するＸ線の線量が計測されると共に、信号補正用データ検出領域に直接線が入射してＸ線量測定手段により計測されたＸ線量が予め定められた所定量以上であれば、パラメータ登録手段に登録されている標準補正用パラメータにしたがってＸ線画像用データの補正が実行される構成となっていて、Ｘ線撮影の実行中に信号補正用データ検出領域に直接線が入射することがあった場合でも、信号補正用データ検出領域で検出された為に直接線の影響を受けてしまった不適正な信号補正用データは用いられず、パラメータ登録手段に登録されている適正度の高い標準補正用パラメータを適用してＸ線画像用データに標準的補正がかけられる。
【００３０】
よって、請求項２の発明のＸ線撮影装置によれば、Ｘ線管から２次元Ｘ線検出器に直接線が入射することでＸ線画像中にアーティファクトが生じることを速やかに抑えることができる。
【実施例１】
【００３１】
この発明のＸ線撮影装置の実施例１について図面を参照しながら詳しく説明する。図１は実施例１に係る医用のＸ線撮影装置の全体構成を示すブロック図である。
【００３２】
実施例１のＸ線撮影装置は、図１に示すように、被検体ＭにＸ線を照射するＸ線管１と、被検体Ｍの透過Ｘ線像を検出する２次元Ｘ線検出器である直接変換タイプのフラットパネル型Ｘ線検出器（以下、適宜「ＦＰＤ」と略記）２を備えているのに加え、Ｘ線管１より被検体ＭへのＸ線照射に伴ってＦＰＤ２から出力されるＸ線画像用データに基づいて被検体Ｍの透過Ｘ線像に対応するＸ線画像を取得するデータ処理部３と、データ処理部３で取得されたＸ線画像を記憶するＸ線画像メモリ４と、データ処理部３で取得されたＸ線画像やＸ線撮影に必要な操作メニュー等を表示する表示モニタ５を備えている。
【００３３】
実施例１の装置が装備しているＸ線管１はＸ線の照射範囲を定めるコリメータ６を前面側に有している。コリメータ６は、図２に示すように、Ｘ方向（横方向）のＸ線の照射範囲を定めるＸ線遮蔽機能を有する２枚の可動リーフ６Ａ，６Ｂと、Ｙ方向（縦方向）のＸ線の照射範囲を定めるＸ線遮蔽機能を有する２枚の可動リーフ６Ｃ，６Ｄを有していて、可動リーフ６Ａ，６Ｂが矢印で示す向きに移動するのに伴ってＸ方向に対するＸ線の照射範囲が変化し、可動リーフ６Ｃ，６Ｄが矢印で示す向きに移動するのに伴ってＹ方向のＸ線の照射範囲が変化する。これら４枚の可動リーフ６Ａ〜６Ｄは個別に独立して移動させられる構成となっている。
【００３４】
また、Ｘ線撮影が行なわれる際は、前段に配備されているＸ線照射制御部７の制御にしたがってＸ線管１からＸ線撮影条件に合ったＸ線が被検体Ｍに照射される。
【００３５】
透過Ｘ線像検出用のＦＰＤ２は、図３に示すように、正方形のＸ線検出面２Ａを有しており、Ｘ線検出面２Ａには多数のＸ線検出素子２ａが、Ｘ線画像の画素配列に対応する配列でＸ方向（横方向）とＹ方向（縦方向）に配置されている。具体的には、例えばＸ方向とＹ方向にそれぞれ４０００個程度のＸ線検出素子２ａが並ぶ約４０００×約４０００のマトリックスの配列でＸ線検出素子２ａが配置されている。
【００３６】
さらに、ＦＰＤ２のＸ線検出面２Ａは、図４に示すように、Ｘ線画像の取得に直接用いられるＸ線画像用データを検出する正方形のＸ線画像用データ検出領域２Ｂと、Ｘ線画像用データの補正に用いられる信号補正用データを検出する長方形の４個の信号補正用データ検出領域２Ｃ１〜２Ｃ４とに区画されている。Ｘ線画像用データ検出領域２Ｂの方に配置されているＸ線検出素子２ａがＸ線画像の画素と対応することになる。例えばＸ線検出素子２ａが並ぶ約４０００×約４０００のマトリックスの配列の場合、Ｘ方向とＹ方向の各Ｘ線検出素子ラインのうち両端の１００〜２００個程度のＸ線検出素子の配置エリアが信号補正用データ検出領域２Ｃ１〜２Ｃ４となる。
【００３７】
したがって、ＦＰＤ２では、Ｘ線画像用データ検出領域２ＢでのＸ線画像用データの検出と並行して、信号補正用データ検出領域２Ｃ１〜２Ｃ４では、Ｘ線画像用データの補正に用いられる信号補正用データの検出が行なわれる。そして、信号補正用データ検出領域２Ｃ１〜２Ｃ４で検出された信号補正用データに基づいてＸ線画像用データの補正を実行する時に適用する補正用パラメータが求められる。更に求められた補正用パラメータを適用してＸ線画像用データに対する補正が実行される結果、良好な画質のＸ線画像が取得される。
【００３８】
Ｘ線画像用データにかけられる補正としては、信号ベース分除去処理，ノイズ除去処理，ＡＤ変換の際の信号増幅処理などといったリアルタイムでかけられる補正が挙げられ、これに応じて、補正用パラメータとしては、信号ベースの除去量，ノイズ除去フィルタの係数，ＡＤ変換の際の信号増幅率などが挙げられる。これらのＸ線画像用データに対する補正の実行や、補正用パラメータの求出は、補正の内容やパラメータの種類に応じてＦＰＤ２や、さらにはデータ処理部３など適当な処で行なわれる。
【００３９】
そして、実施例１のＸ線撮影装置の場合、図５および図６に示すように、ＦＰＤ２の前方に不活性ガス封入チャンバー式Ｘ線量測定器（以下、適宜「Ｘ線量測定器」と略記）８を備えている。このＸ線量測定器８は、Ｘ線画像用データ検出領域２Ｂに入射するＸ線量を計測する画像用データ検出領域用のチャンバー８Ａと、信号補正用データ検出領域２Ｃ１〜２Ｃ４に入射するＸ線の線量を計測する補正用データ検出領域用のチャンバー８Ｂ１〜８Ｂ４を有している。
【００４０】
チャンバー８Ａは、Ｘ線画像用データ検出領域２Ｂにおける円形の採光野２ｂと略同一の円形に整形されていて、Ｘ線画像用データ検出領域２Ｂにおける採光野２ｂの前面に配置されている。チャンバー８Ｂ１〜８Ｂ４は、長方形の信号補正用データ検出領域２Ｃ１〜２Ｃ４と略同一の長方形に整形されていて、信号補正用データ検出領域２Ｃ１〜２Ｃ４の前面に配置されている。
【００４１】
Ｘ線量測定器８は、例えばチャンバー８Ａ，８Ｂ１〜８Ｂ４用の空間を切り抜き形成した薄手のアクリル樹脂プレートの両面に薄手のアクリル樹脂プレートをそれぞれ貼り合わせ、各チャンバー８Ａ，８Ｂ１〜８Ｂ４に不活性ガスとしてＸｅ（キセノン）ガスを封入すると共に、検出用ワイヤを配置した構成のものが用いられる。なお、補正用データ検出領域用のチャンバー８Ｂ１〜８Ｂ４は、互いに独立していて、信号補正用データ検出領域２Ｃ１〜２Ｃ４に入射するＸ線の線量が個別に計測される構成とされている。
【００４２】
そして、実施例１の装置の場合、画像用データ検出領域用のチャンバー８Ａにより計測されたＸ線量に基づいてＸ線管１の照射Ｘ線量の制御が行なわれる構成とされている。即ち、図１に示すように、Ｘ線量測定器８から（厳密にはチャンバー８Ａ）から出力された検出信号は、増幅回路（図示省略）で増幅される等した後、Ｘ線照射制御部７に送り込まれ、Ｘ線管１の照射Ｘ線量の制御がなされて画像用データ検出領域２Ｂに入射するＸ線の線量の適正化が図られる。
【００４３】
さらに、実施例１のＸ線撮影装置は、補正用データ検出領域用のチャンバー８Ｂ１〜８Ｂ４により計測された信号補正用データ検出領域２Ｃ１〜２Ｃ４のＸ線量が予め定められた所定量以上であれば、図１に示すように、コリメータ６を調整してＸ線の照射範囲を狭めて信号補正用データ検出領域２Ｃ１〜２Ｃ４に直接線が入射するのを阻止するコリメータ調整部９を備えている。即ち、コリメータ調整部９は電動モータ等による可動リーフ移動機構（図示省略）を有していて、各チャンバー８Ｂ１〜８Ｂ４から出力された検出信号は、増幅回路（図示省略）で増幅される等した後、コリメータ調整部９に送り込まれる。そして、信号補正用データ検出領域２Ｃ１〜２Ｃ４のＸ線量が予め定められた所定量以上であれば、コリメータ調整部９がコリメータ６の可動リーフを移動させて信号補正用データ検出領域２Ｃ１〜２Ｃ４に入射する直接線をカットする。
【００４４】
チャンバー８Ｂ１により計測されたＸ線の線量が予め定められた所定量以上であれば、図７に示すように、コリメータ調整部９はコリメータ６の可動リーフ６ＡをＸ線の照射範囲を狭める方向に移動させて信号補正用データ検出領域２Ｃ１に入射する直接線をカットする。つまり、Ｘ線管１から照射されるＸ線のうち、図７に一点鎖線と点線によって挟まれる領域のＸ線が可動リーフ６Ａにより遮断されるのである。
【００４５】
同様に、チャンバー８Ｂ２により計測されたＸ線の線量が予め定められた所定量以上であれば、コリメータ調整部９はコリメータ６の可動リーフ６ＢをＸ線の照射範囲を狭める方向に移動させて信号補正用データ検出領域２Ｃ２に入射する直接線をカットする。
【００４６】
同様に、チャンバー８Ｂ３により計測されたＸ線の線量が予め定められた所定量以上であれば、コリメータ調整部９はコリメータ６の可動リーフ６ＣをＸ線の照射範囲を狭める方向に移動させて信号補正用データ検出領域２Ｃ３に入射する直接線をカットする。
【００４７】
チャンバー８Ｂ４により計測されたＸ線の線量が予め定められた所定量以上であれば、コリメータ調整部９はコリメータ６の可動リーフ６ＤをＸ線の照射範囲を狭める方向に移動させて信号補正用データ検出領域２Ｃ４に入射する直接線をカットする。
【００４８】
チャンバー８Ｂ１〜８Ｂ４のうち二つ以上のチャンバーが同時に予め定められた所定量以上のＸ線の線量を計測する場合もあるが、この場合、予め定められた所定量以上のＸ線の線量を計測した全てのチャンバーに対応する信号補正用データ検出領域に入射する直接線がカットされることになる。
【００４９】
なお、操作部１０はＸ線撮影の撮影条件の設定や、Ｘ線撮影の実行に必要な指令・データの入力を行なう入力機器である。また、主制御部１１は、コンピュータ（ＣＰＵ）と動作プログラムを中心に構成されていて、操作部１０等による各種の指令入力、あるいは、Ｘ線撮影の進行状況などに応じて適当な命令信号やデータを必要な処へ適時に送出し、装置全体を常に適切に動作させる統括制御機能を果たす。
【００５０】
以上に述べたように、実施例１のＸ線撮影装置の場合、ＦＰＤ２のＸ線検出面２Ａにおける信号補正用データ検出領域２Ｃ１〜２Ｃ４の前方に配設されている補正用データ検出領域用のチャンバー８Ｂ１〜８Ｂ４により信号補正用データ検出領域２Ｃ１〜２Ｃ４に入射するＸ線の線量が計測されると共に、信号補正用データ検出領域２Ｃ１〜２Ｃ４に直接線が入射してチャンバー８Ｂ１〜８Ｂ４により計測されたＸ線量が予め定められた所定量以上であれば、コリメータ調整部９がコリメータ６を調整してＸ線の照射範囲を狭めて信号補正用データ検出領域に直接線が入射するのを迅速に阻止する構成となっていて、Ｘ線撮影の実行中に信号補正用データ検出領域２Ｃ１〜２Ｃ４に直接線が入射することがあった場合でも、信号補正用データ検出領域２Ｃ１〜２Ｃ４で検出される信号補正用データは直ちに直接線の影響を受けていない適正なデータとなり、Ｘ線画像用データには適正な信号補正用データを用いて補正がかけられる。
【００５１】
よって、実施例１のＸ線撮影装置によれば、Ｘ線管１からＦＰＤ２に直接線が入射することでＸ線画像中にアーティファクトが生じることを速やかに抑えることができる。
【００５２】
また、実施例１の装置の場合、チャンバー８Ｂ１〜８Ｂ４が応答速度の早い不活性ガス封入チャンバー式Ｘ線量測定器８であるので、信号補正用データ検出領域２Ｃ１〜２Ｃ４に直接線が入射してチャンバー８Ｂ１〜８Ｂ４により計測されたＸ線量が予め定められた所定量以上となったことが素早く感知されるので、Ｘ線画像中にアーティファクトが生じることを、より速やかに抑えることができる。
【００５３】
さらに、ＦＰＤ２は大面積化適正を有する２次元Ｘ線検出器であるが、大面積化に伴って信号補正用データ検出領域２Ｃ１〜２Ｃ４に直接線が入射し易くなるので、Ｘ線画像中にアーティファクトが生じる可能性が高くなるけれども、実施例１の装置はＸ線管１から信号補正用データ検出領域２Ｃ１〜２Ｃ４に直接線が入射することでＸ線画像中にアーティファクトが生じることを速やかに抑えることができるので、Ｘ線画像中にアーティファクトが生じる懸念なくＦＰＤ２の大面積化が図れる。
【実施例２】
【００５４】
この発明のＸ線撮影装置の実施例２について図面を参照しながら詳しく説明する。図８は実施例２に係る医用のＸ線撮影装置の全体構成を示すブロック図である。
【００５５】
実施例２のＸ線撮影装置は、図８に示すように、Ｘ線画像用データに対して標準的補正をかける時に適用する標準補正用パラメータを予め登録しておくパラメータメモリ１２を備えていて、補正用データ検出領域用のチャンバー８Ｂ１〜８Ｂ４により計測されたＸ線量が予め定められた所定量以上であれば、パラメータメモリ１２に登録されている標準補正用パラメータにしたがってＸ線画像用データの標準的補正が実行される他は、実施例１の装置と実質的に同じであるので、共通する点の説明は省略し、相違する点についてのみ説明する。
【００５６】
即ち、実施例２の装置の場合、Ｘ線画像用データに対して標準的補正をかける時に適用する標準補正用パラメータを先に求めておいて、求めた標準補正用パラメータをパラメータメモリ１２に予め登録しておく。Ｘ線画像用データにかけられる標準的補正としては、実施例１の装置と同様、信号ベース分除去処理，ノイズ除去処理，ＡＤ変換の際の信号増幅処理などといったリアルタイムで行なわれる補正が挙げられ、これに応じて、補正用パラメータとしては、信号ベースの除去量，ノイズ除去フィルタの係数，ＡＤ変換の際の信号増幅率などが挙げられる。これらの標準補正用パラメータにしたがって行なうＸ線画像用データに対する標準的補正は、ＦＰＤ２や、さらにはデータ処理部３など適当な処で実行される。
【００５７】
一方、各チャンバー８Ｂ１〜８Ｂ４から出力された検出信号は、増幅回路（図示省略）で増幅される等した後、主制御部１１に送り込まれる。そして、主制御部１１は、補正用データ検出領域用のチャンバー８Ｂ１〜８Ｂ４のうちの計測されたＸ線量が予め定められた所定量以上であるチャンバーがあった時は、計測されたＸ線量が予め定められた所定量以上であるチャンバーに対応する信号補正用データ検出領域については、検出した信号補正用データを用いずに、パラメータメモリ１２から標準補正用パラメータを読み出すと共に、読み出した標準補正用パラメータにしたがってＸ線画像用データに対する補正を実行する。
【００５８】
なお、補正用データ検出領域用のチャンバー８Ｂ１〜８Ｂ４の中の少なくとも一つのチャンバーが予め定められた所定量以上のＸ線の線量を計測した時は、信号補正用データ検出領域２Ｃ１〜２Ｃ４で検出された信号補正用データを全く用いずに、全てパラメータメモリ１２から読み出した標準補正用パラメータにしたがってＸ線画像用データに対する標準的補正を実行する構成としてもよい。
【００５９】
他方、実施例２の装置の場合、補正用データ検出領域用のチャンバー８Ｂ１〜８Ｂ４により計測されたＸ線量が予め定められた所定量未満であれば、実施例１の装置と同様にして、信号補正用データ検出領域２Ｃ１〜２Ｃ４で検出された信号補正用データを用いてＸ線画像用データの補正が実行される。
【００６０】
以上に述べたように、実施例２のＸ線撮影装置の場合、ＦＰＤ２のＸ線検出面２Ａにおける信号補正用データ検出領域２Ｃ１〜２Ｃ４の前方に配設されている補正用データ検出領域用のチャンバー８Ｂ１〜８Ｂ４により信号補正用データ検出領域２Ｃ１〜２Ｃ４に入射するＸ線の線量が計測されると共に、信号補正用データ検出領域２Ｃ１〜２Ｃ４に直接線が入射してチャンバー８Ｂ１〜８Ｂ４により計測されたＸ線量が予め定められた所定量以上であれば、パラメータメモリ１２に登録されている標準補正用パラメータにしたがってＸ線画像用データの標準的補正が実行される構成となっていて、Ｘ線撮影の実行中に信号補正用データ検出領域２Ｃ１〜２Ｃ４に直接線が入射することがあった場合でも、信号補正用データ検出領域２Ｃ１〜２Ｃ４で検出された為に直接線の影響を受けてしまった不適正な信号補正用データは用いられず、パラメータメモリ１２に登録されている適正度の高い標準補正用パラメータを適用してＸ線画像用データに補正がかけられる。
【００６１】
よって、実施例２のＸ線撮影装置によれば、Ｘ線管１からＦＰＤ２に直接線が入射することでＸ線画像中にアーティファクトが生じることを速やかに抑えることができる。
【００６２】
この発明は、上記の実施例に限られるものではなく、以下のように変形実施することも可能である。
【００６３】
（１）実施例１のＸ線撮影装置において、さらに、実施例２と同様、Ｘ線画像用データに対して標準的補正をかける時に適用する標準補正用パラメータを予め登録しておくパラメータメモリ１２を備えていて、コリメータ調整部９によるコリメータ６の調整によって直接線がカットされた信号補正用データ検出領域については、例えば信号補正用データが不十分（例えば小さ過ぎる）という事態が生じた時には、信号補正用データを用いずに、パラメータメモリ１２から読み出した標準補正用パラメータを適用してＸ線画像用データに標準的補正をかける構成とした装置を変形例として、挙げることができる。
【００６４】
（２）実施例１，２の装置の場合、ＦＰＤ２は直接変換タイプのＦＰＤであったが、ＦＰＤ２は間接変換タイプのものを用いるようにしてもよい。また、透過Ｘ線像検出用の２次元検出器は、ＦＰＤに限らず、ＦＰＤ以外のＸ線検出器を用いるようにしてもよい。
【００６５】
（３）実施例の装置は、医用の装置であったが、この発明の装置は、医用に限らず、例えば工業用や原子力用の装置などにも適用することができる。
【図面の簡単な説明】
【００６６】
【図１】実施例１のＸ線撮影装置の全体構成を示すブロック図である。
【図２】実施例１の装置のＸ線管のコリメータの要部構成を示す斜視図である。
【図３】実施例１の装置のＦＰＤのＸ線検出素子の配列状況を模式的に示す平面図である。
【図４】実施例１の装置のＦＰＤのＸ線検出面におけるＸ線画像用データ検出領域と信号補正用データ検出領域の区画状況を示す模式図である。
【図５】実施例１の装置のＦＰＤとＸ線量測定器の配置状況を示す正面図である。
【図６】実施例１の装置のＦＰＤとＸ線量測定器の配置状況を示す平面図である。
【図７】実施例１の装置のＦＰＤの信号補正用データ検出領域に入射する直接線のカットする際の状況を示す模式図である。
【図８】実施例２のＸ線撮影装置の全体構成を示すブロック図である。
【図９】従来のＸ線撮影装置の撮像系の要部構成を示す模式図である。
【符号の説明】
【００６７】
１              …  Ｘ線管
２              …  ＦＰＤ（２次元Ｘ線検出器）
２Ｂ            …  Ｘ線画像用データ検出領域
２Ｃ１〜２Ｃ４  …  信号補正用データ検出領域
６              …  コリメータ
８              …  不活性ガス封入チャンバー式Ｘ線量測定器
８Ａ            …  画像用データ検出領域用のチャンバー
８Ｂ１〜８Ｂ４  …  補正用データ検出領域用のチャンバー（Ｘ線量測定手段）
９              …  コリメータ調整部（コリメータ調整手段）
１２            …  パラメータメモリ（パラメータ登録手段）
Ｍ              …  被検体
【図１】
2006000192.tif 000003
【図２】
2006000192.tif 000004
【図３】
2006000192.tif 000005
【図４】
2006000192.tif 000006
【図５】
2006000192.tif 000007
【図６】
2006000192.tif 000008
【図７】
2006000192.tif 000009
【図８】
2006000192.tif 000010
【図９】
2006000192.tif 000011